(57)【特許請求の範囲】
【請求項１】
冷蔵庫（Ａ）内に外気（Ｗｏ）を導入するとともに冷蔵庫（Ａ）内の庫内空気を排気（Ｗｉ）として庫外へ排出する給排気装置（１）と加湿装置（２）とを給気ダクト（３）および排気ダクト（４）により接続するとともに、換気中において外気中に含まれる水分が結露して生ずる結露水が前記給気ダクト（３）および排気ダクト（４）を通じて前記加湿装置（２）側において処理されるように前記給排気装置（１）と加湿装置（２）との位置を設定したことを特徴とする換気装置。
【請求項２】
前記給排気装置（１）を、冷蔵庫（Ａ）の天井壁面（Ｃ）外部に設置する一方、前記加湿装置（２）を、冷蔵庫（Ａ）の天井壁面（Ｃ）内部に設置したことを特徴とする前記請求項１記載の換気装置。
【請求項３】
前記給気ダクト（３）からの給気（Ｗｏ）を、前記加湿装置（２）における加湿エレメント（１９）の一部を通して冷蔵庫（Ａ）内へ供給できるように構成したことを特徴とする前記請求項１および請求項２のいずれか一項記載の換気装置。
【請求項４】
前記給排気装置（１）内を、給気用ファン（９）を配置した給気室（６）と、排気用ファン（１０）を配置した排気室（７）とに断熱壁（８）を介して区画し且つ該排気室（７）の底部に臨むようにして前記排気ダクト（４）の一端を接続するとともに、前記排気用ファン（１０）の吐出口（１１）部分を前記排気室（７）の内方に位置させて配置したことを特徴とする前記請求項１、２および３のいずれか一項記載の換気装置。
【発明の詳細な説明】
【０００１】
【発明の属する技術分野】
【０００２】
本願発明は、プレハブ式の冷蔵庫において使用される換気装置に関するものである。
【従来の技術】
【０００３】
従来から野菜・果物等の生鮮物を貯蔵するために使用されるプレハブ式の冷蔵庫は、断熱構造のブレハブ棟内に棟内の温度を所定温度に保持するための冷却装置と棟内の乾燥を防止するための加湿装置とを配設して構成されることとなっている。
【０００４】
ところで、野菜や果物等の生鮮保管物からはエチレンガスが発生し、該エチレンガスによって生鮮保管物の鮮度低下が速められることはよく知られており、生鮮保管物の鮮度保持のためには冷蔵庫内の空気中に含まれるエチレンガス濃度を低下させることが必要とされている。
【０００５】
従来技術では、上記エチレンガス濃度を低下させるために、換気扇等を用いて庫内空気を換気する方法が採用されていた。
【発明が解決しようとする課題】
【０００６】
ところが、このような方法とした場合、夏季においては換気によって高温の外気が庫内に直接吸い込まれることとなり、外気が当たる部分の生鮮保管物の温度が上昇して損傷を来すおそれがあるし、換気口付近に結露が発生するという不具合があった。
【０００７】
上記不具合を解消するためには、全熱交換機能を備えた換気扇を用いて換気する方法も考えられるが、コスト的に問題があるとともに、設置スペースも大きくなるという新たな問題が生ずる。
【０００８】
本願発明は、上記の点に鑑みてなされたもので、生鮮保管物の温度上昇や機器の結露による不具合を発生させることなく、低コストで庫内空気の換気を行い得るようにすることを目的とするものである。
【課題を解決するための手段】
【０００９】
請求項１の発明では、上記課題を解決するための手段として、冷蔵庫Ａ内に外気Ｗｏを導入するとともに冷蔵庫Ａ内の庫内空気を排気Ｗｉとして庫外へ排出する給排気装置１と加湿装置２とを給気ダクト３および排気ダクト４により接続するとともに、換気中において外気中に含まれる水分が結露して生ずる結露水が前記給気ダクト３および排気ダクト４を通じて前記加湿装置２側において処理されるように前記給排気装置１と加湿装置２との位置を設定している。
【００１０】
上記のように構成したことにより、給排気装置１から給気ダクト３を通って加湿装置２へ供給される給気Ｗｏは、加湿装置２を通って換気用給気となる一方、加湿装置２から排気ダクト４を通って給排気装置１へ供給される排気Ｗｉは、給排気装置１を通って換気用排気となる。したがって、換気用給気として高温の外気が直接供給されるということがなくなり、換気による負荷増大を抑制できる。また、換気により生ずる結露水は、給気ダクト３および排気ダクト４を通って加湿装置２側において加湿ドレンとともに処理されることとなり、結露水の系外への飛散を防止することができる。
【００１１】
請求項２の発明におけるように、請求項１記載の換気装置において、前記給排気装置１を、冷蔵庫Ａの天井壁面Ｃ外部に設置する一方、前記加湿装置２を、冷蔵庫Ａの天井壁面Ｃ内部に設置した場合、庫内へ高温の外気が直接供給されるということがなくなり、生鮮保管物への悪影響が防止できる。
【００１２】
請求項３の発明におけるように、請求項１および２のいずれか一項記載の換気装置において、前記給気ダクト３からの給気Ｗｏを、前記加湿装置２における加湿エレメント１９の一部を通して冷蔵庫Ａ内へ供給できるように構成した場合、給気ダクト３により供給される外気Ｗｏが加湿エレメント１９を通過する際に適当に加湿もしくは除湿されることとなり、温度・湿度がともに良好なものとなる。
【００１３】
請求項４の発明におけるように、請求項１、２および３のいずれか一項記載の換気装置において、前記給排気装置１内を、給気用ファン９を配置した給気室６と、排気用ファン１０を配置した排気室７とに断熱壁８を介して区画し且つ該排気室７の底部に臨むようにして前記排気ダクト４の一端を接続するとともに、前記排気用ファン９の吐出口１１部分を前記排気室７の内方に位置させて配置した場合、温度の低い排気Ｗｉによる排気室７外壁への結露が防止できるとともに、排気用ファン１０の吐出口１１部分に発生した結露水Ｄは、排気室７内に落下した後に、排気ダクト４を介して加湿装置２内へ回収され、加湿装置２のドレンとともに処理されることとなる。
【発明の実施の形態】
【００１４】
以下、添付の図面を参照して、本願発明の好適な実施の形態について詳述する。
【００１５】
この換気装置は、図１に示すように、冷蔵庫Ａの天井壁面Ｃ外部に設置された給排気装置１と、前記冷蔵庫Ａの天井壁面Ｃ内部に設置された加湿装置２とを、前記給排気装置１からの給気Ｗｏを前記加湿装置２に供給する給気ダクト３と、前記加湿装置２からの排気Ｗｉを前記給排気装置１へ供給する排気ダクト４とによって接続して構成されている。前記給気ダクト３および排気ダクト４としては、例えばフレキシブルパイプが採用される。
【００１６】
前記給排気装置１は、図２に示すように、ケーシング５内を給気用ファン９が配置される給気室６と、排気用ファン１０が配置される排気室７とに断熱壁８を介して区画して構成されている。本実施の形態においては、高静圧を必要とする給気用ファン９としては、シロッコファン（即ち、渦巻きケーシング内において前進翼を有するロータを回転させる遠心ファン）が採用され、高静圧を必要としない排気用ファン１０としては、プロペラファンが採用されている。
【００１７】
前記排気用ファン１０および該排気用ファン１０の吐出口１１部分（具体的には、防虫網１２等）は、図４に示すように、前記排気室７の内方に位置させて配置されている。つまり、給排気装置１における排気出口１３と前記排気用ファン１０の吐出口１１との間はダクト１４で連結されることとなっているのである。また、前記排気ダクト４の一端（即ち、出口端）が接続される出口側排気接続口１５は、前記排気室７の底部に臨むようにして接続されている。
【００１８】
一方、前記加湿装置２は、図１および図３に示すように、背面中央部に空気吸込口１７を設け、前面ほぼ全域に空気吹出口１８を設けてなる箱体１６内に加湿エレメント１９，１９を配設して構成されている。前記空気吸込口１７には、庫内空気Ｗｉ１を吸い込む加湿用ファン２０が配設されている。符号２１は加湿用ファン２０からの吹出空気を拡散させる空気拡散板である。
【００１９】
前記加湿エレメント１９は、例えば、水が収容される水容器２２と該水容器２２に対して貫通支持される水蒸気透過性を有する素材（例えば、ポリテトラフルオロエチレン共重合体を主成分とする多孔性素材）からなる多数の中空糸チューブ２３，２３・・とによって構成されており、中空糸チューブ２３，２３・・が空気吸込口１７から空気吹出口１８に向かって流れる空気の流れ方向と平行となるような姿勢で設置されることとなっている。そして、中空糸チューブ２３，２３・・内に透過する水蒸気によって該中空糸チューブ２３，２３・・内を流れる空気を加湿し、加湿空気Ｗｉ２として空気吹出口１８から庫内へ吹き出すこととなっている。
【００２０】
なお、前記箱体１６の底面は、加湿エレメント１９，１９からのドレンを受け止めて排出処理するドレンパン２４を構成することとなっている。
【００２１】
符号２５は給気接続口であり、その内端部は、前記加湿エレメント１９に近接されている。つまり、給気接続口２５から供給される給気（即ち、外気）Ｗｏは、加湿エレメント１９における一部の中空糸チューブ２３，２３・・を通過することとなっているのである。符号２６は入口側排気接続口であり、空気吹出口１８の端部に設けられている。このようにすると、給排気装置１の運転停止時に、加湿用ファン２０の影響によって給気ダクト３および排気ダクト４を介して庫内空気Ｗｉが排出されてしまうということがなくなる。
【００２２】
そして、前記給気ダクト３の一端（即ち、入口端）は、前記給排気装置１における給気用ファン９の吐出口９ａに接続され、他端（即ち、出口端）は、前記加湿装置２における給気接続口２５に接続されている。一方、前記排気ダクト４の一端（即ち、入口端）は、前記入口側排気接続口２６に接続され、他端（即ち、出口端）は、前記出口側排気接続口１５に接続されている。符号２７は外気取り入れ口、２８，２９，３０は断熱材である。
【００２３】
上記のように構成された換気装置においては、次のような作用効果が得られる。
【００２４】
冷蔵庫Ａ内においては、生鮮保管物の保管によって生鮮保管物からエチレンガスが発生するが、このエチレンガスの濃度が上昇すると、生鮮保管物の鮮度を低下させてしまう。そこで、冷蔵庫Ａ内に外気Ｗｏを給排気装置１から給気ダクト３を介して導入するとともに、冷蔵庫Ａ内の庫内空気を排気Ｗｉとして排気ダクト４および給排気装置１を介して庫外へ排出する換気動作を行って、庫内におけるエチレンガス濃度を低下させることが行われる。
【００２５】
冷蔵庫Ａ内への給気（即ち、外気）Ｗｏは、給排気装置１における給気用ファン９の吐出口９ａから給気ダクト３を通って加湿装置２における給気接続口２５に至り、該給気接続口２５から加湿エレメント１９の一部を通過し、該通過の過程で加湿され且つ温度低下されて空気吹出口１８から庫内へ吹き出される。従って、庫内へ供給される外気Ｗｏは、温度低下され、しかも加湿あるいは除湿されたものとなるので、庫内に保管されている生鮮保管物への悪影響が防止できる。
【００２６】
また、給気ダクト３内を流れる外気Ｗｏは、庫内部分３ａにおいて冷却されて結露するおそれがあるが、該結露水は、給気Ｗｏとともに加湿装置２内に供給されることとなり、ドレンパン２４に集められて、加湿装置２のドレンとともに処理されることとなる。従って、結露水が加湿装置２の外に漏れ出て、生鮮保管物に悪影響を及ぼすということがなくなる。なお、給気接続口２５内においては、該給気接続口２５内を流れる外気が給気接続口２５外の低温庫内空気に冷やされて、給気接続口２５内に結露水が生ずるが、この結露水も、ドレンパン２４に集められて、加湿装置２のドレンとともに処理されることとなる。従って、結露水が加湿装置２の外に漏れ出て、生鮮保管物に悪影響を及ぼすということがなくなる。
【００２７】
ところで、加湿エレメント１９を構成する水容器２２を満たしている水の温度は、加湿によって気化熱を奪われているため、冷蔵庫Ａ内の空気温度より低くなっている。そのため、換気時に給排気装置１から給気された外気Ｗｏが加湿エレメント１９の一部（即ち、中空糸チューブ２３）内を通過する際には、中空糸チューブ２３内に結露水が発生する（即ち、給気として供給される外気Ｗｏは除湿される）。従って、余分な水蒸気が外気Ｗｏとともに冷蔵庫Ａ内に供給されるということがなくなり、冷蔵庫Ａ内への結露を防止することができる。しかも、外気Ｗｏは、温度が下がり、湿度も下がって庫内空気に近い状態で供給されることとなる。
【００２８】
一方、冷蔵庫Ａ内からの排気Ｗｉは、加湿装置２側の入口側排気接続口２６から排気ダクト４を経て給排気装置１側の出口側排気接続口１５に至り、排気室７を経て排気出口１３から外部へ排出されることとなる。このとき、冷気である排気Ｗｉと暖かい外気との接触によって、排気用ファン１０および防虫網１２等（即ち、排気用ファン１０の吐出口１１部分）に結露が生じるが、該結露水Ｄは、図４に示すように、排気室７内に落下した後、出口側排気接続口２６から排気ダクト４を通って加湿装置２におけるドレンパン２４に集められて、加湿装置２のドレンとともに処理されることとなる。
【００２９】
ところで、図５に示すように、排気用ファン１０および防虫網１２等（即ち、排気用ファン１０の吐出口１１部分）を、排気室７の排気出口１３に設けるようにした場合、排気用ファン１０および防虫網１２等（即ち、排気用ファン１０の吐出口１１部分）に生じた結露水Ｄは排気室７の外壁を伝って下方に落下し、冷蔵庫Ａの天井Ｃを濡らすという不具合が生ずるが、本実施の形態においては、このような不具合が生ずるおそれはなく、結露水の回収処理が不都合なく行えるのである。
【００３０】
上記実施の形態にかかる換気装置の場合、例えば１０坪のプレハブ冷蔵庫に対応するだけの換気量を持つように設計されているが、この換気装置を１０坪より小さなプレハブ冷蔵庫に適用する際には、換気装置の運転時間を調整することで対応すればよい。
【００３１】
上記実施の形態においては、プレハブ冷蔵庫に適用された換気装置について説明したが、本願発明の換気装置は、プレハブ冷蔵庫以外の施設にも適用可能なことは勿論である。
【発明の効果】
【００３２】
請求項１の発明によれば、冷蔵庫Ａ内に外気Ｗｏを導入するとともに冷蔵庫Ａ内の庫内空気を排気Ｗｉとして庫外へ排出する給排気装置１と加湿装置２とを給気ダクト３および排気ダクト４により接続するとともに、換気中において外気中に含まれる水分が結露して生ずる結露水が前記給気ダクト３および排気ダクト４を通じて前記加湿装置２側において処理されるように前記給排気装置１と加湿装置２との位置を設定して、給排気装置１から給気ダクト３を通って加湿装置２へ供給される給気Ｗｏは、加湿装置２を通って換気用給気となる一方、加湿装置２から排気ダクト４を通って給排気装置１へ供給される排気Ｗｉは、給排気装置１を通って換気用排気となるようにしたので、換気用給気として高温の外気が直接供給されるということがなくなり、換気による負荷増大を抑制できるという効果がある。また、換気により生ずる結露水は、給気ダクト３および排気ダクト４を通って加湿装置２側において加湿ドレンとともに処理されるようにしているので、結露水の系外への飛散を防止することができるという効果もある。
【００３３】
請求項２の発明におけるように、請求項１記載の換気装置において、前記給排気装置１を、冷蔵庫Ａの天井壁面Ｃ外部に設置する一方、前記加湿装置２を、冷蔵庫Ａの天井壁面Ｃ内部に設置した場合、庫内へ高温の外気が直接供給されるということがなくなり、生鮮保管物への悪影響が防止できる。また、結露水が加湿装置２の外に漏れ出て、生鮮保管物に悪影響を及ぼすということもなくなる。
【００３４】
請求項３の発明におけるように、請求項１および２のいずれか一項記載の換気装置において、前記給気ダクト３からの給気Ｗｏを、前記加湿装置２における加湿エレメント１９の一部を通して冷蔵庫Ａ内へ供給できるように構成した場合、給気ダクト３により供給される外気Ｗｏが加湿エレメント１９を通過する際に適当に加湿あるいは除湿されることとなり、温度・湿度がともに良好なものとなる。
【００３５】
請求項４の発明におけるように、請求項１、２および３のいずれか一項記載の換気装置において、前記給排気装置１内を、給気用ファン９を配置した給気室６と、排気用ファン１０を配置した排気室７とに断熱壁８を介して区画し且つ該排気室７の底部に臨むようにして前記排気ダクト４の一端を接続するとともに、前記排気用ファン９の吐出口１１部分を前記排気室７の内方に位置させて配置した場合、温度の低い排気Ｗｉによる排気室７外壁への結露が防止できるとともに、排気用ファン１０の吐出口１１部分に発生した結露水Ｄは、排気室７内に落下した後に、排気ダクト４を介して加湿装置２内へ回収され、加湿装置２のドレンとともに処理されることとなる。
【図面の簡単な説明】
【図１】  本願発明の実施の形態にかかる換気装置の取付状態を示す正面図である。
【図２】  本願発明の実施の形態にかかる換気装置における給排気装置の横断平面図である。
【図３】  本願発明の実施の形態にかかる換気装置における加湿装置の横断平面図である。
【図４】  本願発明の実施の形態にかかる換気装置を構成する給排気装置における排気室の縦断側面図である。
【図５】  比較例にかかる換気装置における排気室の縦断側面図である。
【符号の説明】
１は給排気装置、２は加湿装置、３は給気ダクト、４は排気ダクト、６は給気室、７は排気室、８は断熱壁、９は給気用ファン、１０は排気用ファン、１１は吐出口、１２は防虫網、１３は排気出口、１９は加湿エレメント、Ａは冷蔵庫、Ｃは天井壁面、Ｗｉは排気、Ｗｏは給気。
【図１】
0003695368.tif 000002
【図２】
0003695368.tif 000003
【図３】
0003695368.tif 000004
【図４】
0003695368.tif 000005
【図５】
0003695368.tif 000006